(57)【要約】      （修正有）【課題】架設が容易であるとともに設定を簡単に行うことができる電力分配システムを提供する。【解決手段】少なくとも一つのユーザーインターフェース１１０と、複数の第二マッチング設定ユニット１２０と、電力線１３０とによって構成する。ユーザーインターフェースは、電源と接続されるとともに、第一マッチング設定ユニット１１２を備え、各該第二マッチング設定ユニットは、照明ユニットＬの内の一つとそれぞれ電気的に接続され、電力線は、各照明ユニットに電気的に接続されるとともに、第一マッチング設定ユニットと各第二マッチング設定ユニットの間に電気的に接続される。【選択図】図１
0003161726.tif 000002
【実用新案登録請求の範囲】
【請求項１】
少なくとも一つのランプモジュールを有する複数の照明ユニットに電力を提供する電力分配システムであって、
電力分配システムは、少なくとも一つのユーザーインターフェースと、複数の第二マッチング設定ユニットと、電力線とによって構成し、
ユーザーインターフェースは、電源と接続されるとともに、第一マッチング設定ユニットを備え、
各第二マッチング設定ユニットは、照明ユニットの内の一つとそれぞれ電気的に接続され、
電力線は、各照明ユニットに電気的に接続されるとともに、第一マッチング設定ユニットと各第二マッチング設定ユニットの間に電気的に接続されることを特徴とする、電力分配システム。
【請求項２】
各該第二マッチング設定ユニットは、該照明ユニットの内の一つの中に配置されることを特徴とする、請求項１に記載の電力分配システム。
【請求項３】
該第一マッチング設定ユニットは、第一電力線通信ユニットと、第一電力線通信ユニットに電気的に接続される第一制御器とによって構成し、各該第二マッチング設定ユニットは、第二電力線通信ユニットと、第二電力線通信ユニットに電気的に接続される第二制御器とによって構成し、第一制御器は第一電力線通信ユニットの信号出力方式の設定を行い、第二制御器は第二電力線通信ユニットの信号受信方式の設定を行うことを特徴とする、請求項１に記載の電力分配システム。
【請求項４】
該電力分配システムは、該電力線と電気的に接続される中央制御ユニットを更に有し、中央制御ユニットは、第三マッチング設定ユニットを備え、第三マッチング設定ユニットは、該電力線を通じて該第二マッチング設定ユニットに電気的に接続され、第三マッチング設定ユニットは、第三電力線通信ユニットと、第三電力線通信ユニットに電気的に接続される第三制御器とによって構成することを特徴とする、請求項１に記載の電力分配システム。
【請求項５】
少なくとも一つのランプモジュールを有する複数の照明ユニットに電力を提供する電力分配システムであって、
電力分配システムは、少なくとも一つのユーザーインターフェースと、複数の第二無線マッチング設定ユニットと、電力線とによって構成し、
ユーザーインターフェースは、電源に接続されるとともに、第一無線マッチング設定ユニットを備え、
各第二無線マッチング設定ユニットは、照明ユニットの内の一つとそれぞれ電気的に接続され
電力線は、各照明ユニットに電気的に接続されることを特徴とする電力分配システム。
【請求項６】
各該第二無線マッチング設定ユニットは、該照明ユニットの内の一つの中に配置されることを特徴とする、請求項５に記載の電力分配システム。
【請求項７】
該第一無線マッチング設定ユニットは、第一無線通信ユニットと、第一無線ユニットに電気的に接続される第一制御器とによって構成し、各該第二無線マッチング設定ユニットは、第二無線通信ユニットと、第二無線通信ユニットに電気的に接続される第二制御器とによって構成し、第一制御器は第一無線通信ユニットの信号出力方式の設定を行い、第二制御器は第二無線通信ユニットの信号受信方式の設定を行うことを特徴とする、請求項５に記載の電力分配システム。
【請求項８】
該電力分配システムは、中央制御ユニットを更に有し、中央制御ユニットは、第三無線マッチング設定ユニットを備え、第三無線マッチング設定ユニットは、第三無線通信ユニットと、第三無線通信ユニットに電気的に接続される第三制御器とによって構成することを特徴とする、請求項５に記載の電力分配システム。
【考案の詳細な説明】
【技術分野】
【０００１】
本考案は電力分配システム（ｐｏｗｅｒ  ｄｉｓｔｒｉｂｕｔｉｏｎ  ｓｙｓｔｅｍ）に関し、特に、架設が容易であるとともに設定を簡単に行うことができる電力分配システムに関する。
【背景技術】
【０００２】
電力分配システムは、電力システムの最も末端のシステムであり、消費者が使う電気と密接に関係がある。一般の住宅やオフィスビルに電力分配システムの架設を行うのは、複雑であるためかなりの時間がかかり、また、架設時のミスにより更に多くの時間をかけて新たに架設をしなおさなければならなくなるという事態も発生しやすい。電力分配システムを架設するのにかかる時間とコストは直接関係があり、従来の電力分配システムの架設の複雑さと架設ミスの確率を下げない限り、架設全体のコストを下げることはできない。その他、従来の電力分配システムの多くは、使用者の好みやニーズによって架設が行われ、使用者が元の電力分配方法を変更したい場合、使用者は新たに架設し直すための莫大な費用を負担しなければならない。このように、従来の電力分配システムは新たに架設しなおすのは非常に難しいため、架設者は、起こりうる全てのミスを予測して架設を行わなければならない。従って、従来の電力分配システムは改善の必要性がある。
【考案の概要】
【考案が解決しようとする課題】
【０００３】
そこで、本考案は、架設が容易であるとともに設定を簡単に行うことができる電力分配システムを提供することを目的とする。
【課題を解決するための手段】
【０００４】
本考案の一実施形態による電力分配システムは、電力を複数の照明ユニットに提供するとともに、少なくとも一つのユーザーインターフェースと、複数の第二マッチング設定ユニットと、電力線とによって構成する。ユーザーインターフェースは、電源と接続されるとともに、第一マッチング設定ユニットを備え、各該第二マッチング設定ユニットは、照明ユニットの内の一つとそれぞれ電気的に接続され、電力線は、各照明ユニットに電気的に接続されるとともに、第一マッチング設定ユニットと各第二マッチング設定ユニットの間に電気的に接続される。
【０００５】
本考案のもう一つの実施形態による電力分配システムは、電力を複数の照明ユニットに提供するとともに、少なくとも一つのユーザーインターフェースと、複数の第二無線マッチング設定ユニットと、電力線とによって構成する。ユーザーインターフェースは、電源に接続されるとともに、第一無線マッチング設定ユニットを備え、各該第二無線マッチング設定ユニットは、照明ユニットの内の一つとそれぞれ電気的に接続され、電力線は、各照明ユニットに電気的に接続される。
【考案の効果】
【０００６】
本考案の電力分配システムは、マッチング設定ユニットを用いて電力分配システムの設定を行うことにより、設置するのにかかる時間を大幅に下げることができる。また、マッチング設定ユニットを用いることにより、ハードウェアを全く変更しなくても、電力分配システムの設定を新たに行うことや、電力分配システムの設定を変更することができる。
【図面の簡単な説明】
【０００７】
【図１】本考案の実施例１による電力分配システムを示した説明図である。
【図２】図１における第一マッチング設定ユニットと第二マッチング設定ユニットの間の接続関係を示した説明図である。
【図３】本考案の実施例２による電力分配システムを示した説明図である。
【図４】本考案の実施例３による電力分配システムを示した説明図である。
【図５】本考案の実施例４による電力分配システムを示した説明図である。
【図６】本考案の実施例５による電力分配システムを示した説明図である。
【図７】本考案の実施例６による電力分配システムを示した説明図である。
【図８】図７における第一無線マッチング設定ユニットと第二無線マッチング設定ユニットの間の接続関係を示した説明図である。
【図９】本考案のその他の実施例による電力分配システムを示した説明図である。
【図１０】本考案のその他の実施例による電力分配システムを示した説明図である。
【図１１】本考案のその他の実施例による電力分配システムを示した説明図である。
【図１２】本考案の実施例７による電力分配システムを示した説明図である。
【考案を実施するための形態】
【０００８】
（実施例１）
図１は、本考案の実施例１による電力分配システムを示した説明図である。電力分配システム１００ａは、電力Ｐを複数の照明ユニットＬに提供する。電力分配システム１００ａは、第一マッチング設定ユニット１１２を備える少なくとも一つのユーザーインターフェース１１０と、複数の第二マッチング設定ユニット１２０と、電力線１３０とによって構成する。ユーザーインターフェース１１０は、電源ＰＳ（家庭用電源、太陽電池など）と接続され、各第二マッチング設定ユニット１２０は、照明ユニットＬの内の一つとそれぞれ電気的に接続される。電力線１３０は、第一マッチング設定ユニット１１２と第二マッチング設定ユニット１２０の間に電気的に接続され、各第二マッチング設定ユニット１２０は、第一マッチング設定ユニット１１２から出力される電気信号Ｓを受信し、電気信号Ｓに基づいて照明ユニットＬをオンにするかどうか決定する。この仕組みにより、電力線１３０に電気的に接続された各照明ユニットＬを個別に制御することができる。
【０００９】
電力分配システム１００ａは、一般的な住居やオフィスビル内に適用される。一般的に言うと、採用されるユーザーインターフェース１１０の多くは、スイッチ（遮断スイッチ、タッチスイッチ、ノブスイッチなど）であるが、ユーザーインターフェースには、使用者が初期設定（ｉｎｉｔｉａｌ  ｓｅｔｔｉｎｇ）を行うことができるとともに照明ユニットのオンとオフを制御することができる制御プラットフォーム（ｃｏｎｔｒｏｌ  ｐｌａｔｆｏｒｍ）を採用してもよい。
【００１０】
相互通信機能をもち且つプログラム制御可能な（ｐｒｏｇｒａｍｍａｂｌｅ）電子素子はすべて、本実施例の第一マッチング設定ユニット１１２及び第二マッチング設定ユニット１２０として用いることができる。架設者や使用者は、第一マッチング設定ユニット１１２及び各第二マッチング設定ユニット１２０の間の通信によって、簡単に初期設置を行うことができ、それにより、電力分配システム１００ａ全体の設定を行うことができる。照明ユニットＬは、どんな照明器具を用いてもよく、各照明ユニットＬは、単独のランプモジュールＬ０からなる。言い換えると、各第二マッチング設定ユニット１２０は、電気信号Ｓに基づき、対応する一つのランプモジュールＬ０のオンとオフを制御し、また、照明ユニットＬは、複数の蛍光灯、電球、或いは、その他の形態の照明などによって構成する。
【００１１】
本実施例の電力分配システム１００ａの架設は非常に簡単であり、架設者は、電力線１３０と接続させたい各照明ユニットＬの位置を確認し、電力線１３０を各照明ユニットＬの位置まで引くだけでよく、各照明ユニットＬとユーザーインターフェース１１０の接続方法を気にする必要はない。図１から分かるように、架設者は、ユーザーインターフェース１１０を電力線１３０の信号入力端子に接続し、電力線１３０の各信号出力端子を第二マッチング設定ユニット１２０にそれぞれ接続するだけで、電力線１３０の配設が完了する。
【００１２】
電力線１３０の配設が完了した後、架設者がユーザーインターフェース１１０によって初期設定を行うと、第一マッチング設定ユニット１１２は各種の電気信号Ｓを出力し、各第二マッチング設定ユニット１２０は第一マッチング設定ユニット１１２から出力された各種電気信号Ｓを受信して識別する。言い換えると、ユーザーインターフェース１１０によって初期設定を行うことで、各照明ユニットＬを個別に制御することができる。
【００１３】
電力分配システム１００ａの初期設定が完了した後、使用者が照明ユニットＬのオンとオフを制御する時の過程は以下の通りである。まず、ユーザーインターフェース１１０から出力された電気信号Ｓは、電力線１３０を通じて全ての第二マッチング設定ユニット１２０に伝送され、各第二マッチング設定ユニット１２０は、受信した電気信号Ｓに基づいて、照明ユニットＬのオンとオフを切り換える。
【００１４】
本実施例は、ユーザーインターフェース１１０を互いに独立した複数の電力線によって複数の照明ユニットＬに電気的に接続させる必要がないため、電力線の配設のミスの確率を大幅に下げることができる。
【００１５】
図２に示すように、第一マッチング設定ユニット１１２は、第一電力線通信ユニット１１２ａと、第一電力線通信ユニット１１２ａに電気的に接続される第一制御器１１２ｂとによって構成する。また、各第二マッチング設定ユニット１２０は、第二電力線通信ユニット１２２と、第二電力線通信ユニット１２２に電気的に接続される第二制御器１２４とによって構成する。第一制御器１１２ｂは、第一電力線通信ユニット１１２ａの信号出力方式を設定することができ、第二制御器１２４は、第二電力線通信ユニット１２２の信号受信方式を設定することができる。
【００１６】
第一制御器１１２ｂと第二制御器１２４は、手動切り替え式スイッチ（ｓｗｉｔｃｈ）、電気プログラム制御（ｅｌｅｃｔｒｉｃ  ｐｒｏｇｒａｍｍａｂｌｅ）のスイッチ、或いはその他の形態のスイッチにすることができる。
【００１７】
第一マッチング設定ユニット１１２と第二マッチング設定ユニット１２０の間の通信は、双方向通信である。言い換えると、第二マッチング設定ユニット１２０は、電気信号を第一マッチング設定ユニット１１２に出力（フィードバック）することができる。例を挙げると、第二マッチング設定ユニット１２０から第一マッチング設定ユニット１１２に電気信号を出力（フィードバック）させたい場合、第二制御器１２４にはマイクロプロセッサ（ｍｉｃｒｏ−ｐｒｏｃｅｓｓｏｒ）或いはセンサ（ｓｅｎｓｏｒ）を用いる。
【００１８】
第二制御器１２４がマイクロプロセッサである時、第二制御器１２４（マイクロプロセッサ）は、照明ユニットＬの電力負荷（ｌｏａｄ）を計算し、照明ユニットＬ内の照明（蛍光灯、電球）が確実にオンになっているかどうか判断する。詳しく言うと、照明が壊れている時、第二制御器１２４（マイクロプロセッサ）は照明ユニットＬの電力負荷が下がっていることを検知し、第二制御器１２４（マイクロプロセッサ）は電気信号を第一マッチング設定ユニット１１２に出力（フィードバック）し、それにより、使用者は照明が壊れていることを知ることができるため、交換作業が便利になる。
【００１９】
第二制御器１２４がセンサである時、第二制御器１２４（センサ）は、人や物体がそのセンサ範囲内に進入したことを検知し、電気信号を第一マッチング設定ユニット１１２に出力（フィードバック）する。それにより、照明ユニットＬを自動的にオンにすることもできるし、第二制御器１２４（センサ）のセンサ範囲内に人や物体が進入したことを使用者に知らせることもできる。
【００２０】
（実施例２）
図２と図３を同時に参照する。本実施例の電力分配システム１００ｂと実施例１の電力分配システム１００ａは似ている。両者の違いは、電力分配システム１００ｂ内の各照明ユニットＬが複数のランプモジュールＬ０から構成されている点であり、各第二マッチング設定ユニット１２０は、複数のランプモジュールＬ０のオンとオフを同時に制御する。
【００２１】
（実施例３）
図２と図４を同時に参照する。本実施例の電力分配システム１００ｃと実施例１の電力分配システム１００ａは似ている。両者の違いは、本実施例の電力分配システム１００ｃ内の第二マッチング設定ユニット１２０が、対応する一組の照明ユニットＬ内に統合されている点である。
【００２２】
（実施例４）
図４と図５を同時に参照する。本実施例の電力分配システム１００ｄと実施例１の電力分配システム１００ａは似ている。両者の違いは、本実施例の電力分配システム１００ｄの各照明ユニットＬが複数のランプモジュールＬ０から構成されている点であり、各第二マッチング設定ユニット１２０は、複数のランプモジュールＬ０のオンとオフを同時に制御する。
【００２３】
（実施例５）
図６を参照する。本実施例の電力分配システム１００ｅと実施例１の電力分配システム１００ａは似ている。両者の違いは、本実施例の電力分配システム１００ｅが、電力線１３０に電気的に接続される中央制御ユニット１４０を更に含む点である。図６から分かるように、中央制御ユニット１４０は第三マッチング設定ユニット１４２を有し、第三マッチング設定ユニット１４２は、電力線１３０を通じて第二マッチング設定ユニット１２０と電気的に接続される。また、第三マッチング設定ユニット１４２は、第三電力線通信ユニット１４２ａと、第三電力線通信ユニット１４２ａに電気的に接続される第三制御器１４２ｂとによって構成し、第三電力線通信ユニット１４２ａから出力される電気信号Ｓ’は、電力線１３０を通じて全ての第二マッチング設定ユニット１２０に伝送される。注意が必要なのは、本実施例において、第三マッチング設定ユニット１４２を備える中央制御ユニット１４０は、実施例２から実施例４内の電力分配システム１００ｂ、１００ｃ、１００ｄ（図３、図４、図５）内にも適用できるという点である。
【００２４】
第三マッチング設定ユニット１４２の初期設定は、第一マッチング設定ユニット１１２及び第二マッチング設定ユニット１２０と同様であり、ここでは記載を省略する。
【００２５】
（実施例６）
図７を参照する。本実施例の電力分配システム  ２００ａは、電力Ｐを複数の照明ユニットＬに提供する。電力分配システム２００ａは、第一無線マッチング設定ユニット２１２を備える少なくとも一つのユーザーインターフェース２１０と、複数の第二無線マッチング設定ユニット２２０と、各照明ユニットＬに電気的に接続される電力線２３０とによって構成する。ユーザーインターフェース２１０は、電源ＰＳ（家庭用電源、太陽電池など）と接続され、各第二無線マッチング設定ユニット２２０は、照明ユニットＬの内の一つとそれぞれ電気的に接続される。各第二無線マッチング設定ユニット２２０は、第一無線マッチング設定ユニット２１０から出力される無線信号ＷＳを受信し、この無線信号ＷＳに基づいて、照明ユニットＬをオンにするかどうか決定する。この仕組みにより、各照明ユニットＬは個別に制御できる。
【００２６】
本実施例の電力分配システム２００ａは一般的な住居やオフィスビル内に適用される。一般的に言うと、採用されるユーザーインターフェース２１０の多くは、スイッチ（遮断スイッチ、タッチスイッチ、ノブスイッチなど）であるが、注意が必要なのは、本実施例で採用されるユーザーインターフェース２１０がリモートコントローラである点である。もちろん、本実施例のユーザーインターフェースには、使用者が初期設定（ｉｎｉｔｉａｌ  ｓｅｔｔｉｎｇ）を行うことができるとともに照明ユニットのオンとオフを制御することができる制御プラットフォーム（ｃｏｎｔｒｏｌ  ｐｌａｔｆｏｒｍ）を採用してもよい。
【００２７】
注意が必要なのは、相互通信機能をもち且つプログラム制御可能な（ｐｒｏｇｒａｍｍａｂｌｅ）な電子素子はすべて、本実施例の第一無線マッチング設定ユニット２１２及び第二無線マッチング設定ユニット２２０に用いることができる点である。架設者や使用者は、第一無線マッチング設定ユニット２１２及び第二無線マッチング設定ユニット２２０の間の通信によって、初期設定を行うことにより、簡単に電力分配システム２００ａ全体の設定を行うことができる。第一無線マッチング設定ユニット２１２及び各第二無線マッチング設定ユニット２２０の詳細な構造は、図８を参照しながら、後に説明を行う。
【００２８】
照明ユニットＬは、どんな照明器具でもよく、各照明ユニットＬは、単独のランプモジュールＬ０からなる。言い換えると、各第二無線マッチング設定ユニット２２０は、無線信号ＷＳに基づいて、対応する一つのランプモジュールＬ０のオンとオフを制御し、また、照明ユニットＬは、複数の蛍光灯、電球、或いは、その他の形態の照明などによって構成する。
【００２９】
本実施例の電力分配システム２００ａの架設は非常に簡単であり、架設者は、電力線２３０と接続させたい各照明ユニットＬの位置を確認し、電力線２３０を各照明ユニットＬの位置まで引くだけでよく、各照明ユニットＬとユーザーインターフェース２１０の接続方法を気にする必要はない。
【００３０】
電力線２３０の配設が完了した後、架設者がユーザーインターフェース２１０によって初期設定を行うことで、第一無線マッチング設定ユニット２１２は各種の無線信号ＷＳを出力し、その後、各第二無線マッチング設定ユニット２２０は、第一無線マッチング設定ユニット２１２から出力された各種無線信号ＷＳを受信して識別する。言い換えると、ユーザーインターフェース２１０によって初期設定を行うことで、各照明ユニットＬを個別に制御することができる。
【００３１】
本実施例のユーザーインターフェース２１０は、無線伝送により複数の照明ユニットＬと通信を行うため、本実施例は、電力線の使用量及び配設のミスの確率を大幅に下げることができる。
【００３２】
図８を参照する。本実施例の第一無線マッチング設定ユニット２１２は、第一無線通訊ユニット２１２ａと、第一無線通訊ユニット２１２ａに電気的に接続される第一制御器２１２ｂとによって構成され、また、各第二無線マッチング設定ユニット２２０は、第二無線通訊ユニット２２２と、第二無線通訊ユニット２２２に電気的に接続される第二制御器２２４とによって構成される。第一制御器２１２ｂは、第一無線通訊ユニット２１２ａの信号出力方式を設定することができ、第二無線制御器２２４は、第二無線通訊ユニット２２２の信号受信方式を設定することができる。
【００３３】
第一制御器２１２ｂと第二制御器２２４は、手動切り替え式スイッチ（ｓｗｉｔｃｈ）、電気プログラム制御（ｅｌｅｃｔｒｉｃ  ｐｒｏｇｒａｍｍａｂｌｅ）のスイッチ、或いはその他の形態のスイッチにすることができる。
【００３４】
本実施例と実施例１の違いは、本実施例においては、第一無線マッチング設定ユニット２１２と各第二無線マッチング設定ユニット２２０の間の通信を、有線（電力線１３０）ではなく、無線によって行う点である。もちろん、本実施例の構造は、実施例２から実施例４における図９から図１１に示す電力分配システム２００ｂ、２００ｃ、２００ｄにも適用させることができる。
【００３５】
（実施例７）
図１２を参照する。本実施例の電力分配システム２００ｅは、実施例６の電力分配システム２００ａと似ている。両者の違いは、本実施例の電力分配システム２００ｅは、中央制御ユニット２４０を更に含む点である。図１２から分かるように、中央制御ユニット２４０は第三無線マッチング設定ユニット２４２を備え、各第二無線マッチング設定ユニット２２０は、第三無線マッチング設定ユニット２４２から出力される第二無線信号ＷＳ’を受信し、第二無線信号ＷＳ’に基づいて、照明ユニットＬをオンにするかどうか決定する。この仕組みにより、各照明ユニットＬを個別に制御することができる。
【符号の説明】
【００３６】
１００ａ、１００ｂ、１００ｃ、１００ｄ、１００ｅ    電力分配システム
１１０    ユーザーインターフェース
１１２    第一マッチング設定ユニット
１１２ａ    第一電力線通信ユニット
１１２ｂ    第一制御器
１２０    第二マッチング設定ユニット
１２２    第二電力線通信ユニット
１２４    第二制御器
１３０    電力線
１４０    中央制御ユニット
１４２    第三マッチング設定ユニット
１４２ａ    第三電力線通信ユニット
１４２ｂ    第三制御器
Ｐ    電力
ＰＳ、ＰＳ’    電源
Ｌ    照明ユニット
Ｓ、Ｓ’    電気信号
２００ａ、２００ｂ、２００ｃ、２００ｄ、２００ｅ    電力分配システム
２１０    ユーザーインターフェース
２１２    第一無線マッチング設定ユニット
２１２ａ    第一無線通訊ユニット
２１２ｂ    第一制御器
２２０    第二無線マッチング設定ユニット
２２２    第二無線通訊ユニット
２２４    第二制御器
２３０    電力線
２４０    中央制御ユニット
２４２    第三無線マッチング設定ユニット
２４２ａ    第三無線通訊ユニット
２４２ｂ    第三制御器
ＷＳ、ＷＳ’    無線信号
【図１】
0003161726.tif 000003
【図２】
0003161726.tif 000004
【図３】
0003161726.tif 000005
【図４】
0003161726.tif 000006
【図５】
0003161726.tif 000007
【図６】
0003161726.tif 000008
【図７】
0003161726.tif 000009
【図８】
0003161726.tif 000010
【図９】
0003161726.tif 000011
【図１０】
0003161726.tif 000012
【図１１】
0003161726.tif 000013
【図１２】
0003161726.tif 000014